(57)【要約】      （修正有）【課題】 掛止スタンドに取付けた大型ごみ袋の開口部を開閉可能に可能にし、ごみ収納後のごみ袋の廃棄を容易にする。【解決手段】上端水平方向に位置した固定横杆部２６を有する固定フレーム２２を形成し、該固定フレームの下端を基枠２１の一端両角に取付け、同じく、上端水平方向に位置した可動横杆部３４を有する可動フレーム３０を形成し、該可動フレームの下端を基枠の他端両側に枢動可能に取付け、この可動フレームの垂直杆部３１ａの下方に足踏レバー３７と、垂直杆部と基枠の一側とを引張ばね４０で連結した掛止スタンド２０と、開口部を有した袋体に並行なスリット部を設け、一面に目安線部を設けたごみ袋とからなり、可動横杆部を開いて、ごみ袋を前記可動横杆部と固定横杆部の間に位置させ、該ごみ袋の開口部周縁を外側に折り返して両横杆部に被せて取付けたことを特徴とする。【選択図】図３
2005053654.tif 000002
【特許請求の範囲】
【請求項１】
並行に位置した一対の主杆部（２３）の上方に連結杆部（２４）と支持杆部（２５）をそれぞれ連設し、互いの支持杆部（２５）の上端水平方向に位置した固定横杆部（２６）を一体に取付けて固定フレーム（２２）を形成し、該固定フレームの下端を基枠（２１）の一端両角に取付け、同じく、並行に位置した一対の垂直杆部（３１）の上方に連結杆部（３２）と支持杆部（３３）とをそれぞれ連設し、互いの支持杆部（３３）の上端水平方向に位置した可動横杆部（３４）を一体に取付けて可動フレーム（３０）を形成し、該可動フレームの下端を前記基枠（２１）の他端両側に枢動可能に取付け、この可動フレーム（３０）を形成する一方の垂直杆部（３１ａ）に足踏レバー（３７）と、該垂直杆部と基枠（２１）の一側とを引張ばね（４０）で連結してなる掛止スタンド（２０）と、
合成樹脂材または紙材などで下端を閉口して上方に開口部（１３）を有した袋体（１２）のそれぞれ対向する面に、垂直方向に並行なスリット部（１５）を設け、同じく袋体（１２）の少なくとも一面に目安線部（１６）を設けて形成したごみ袋（１１）とからなり、
前記掛止スタンド（２０）の可動フレーム（３０）を枢動させて可動横杆部（３４）を開き、ごみ袋（１１）を前記可動横杆部（３４）と固定横杆部（２６）の間に位置させ、該ごみ袋の開口部（１３）周縁を外側に折り返してそれぞれ前記両横杆部（２６）、（３４）に被せて取付けたことを特徴とするごみ収納装置。
【請求項２】
前記掛止スタンド（２０）が、基枠（２１）上に取付けた固定フレーム（２２）と可動フレーム（３０）の支持杆部（２５）、（３３）に折畳ばね（４５）の一端を巻着し、他端を伸ばしてそれぞれ内側方向に付勢させて形成した連結ばね部（４７）の先端を互いに連結リング（５０）で連結し、前記可動フレーム（３０）が固定フレーム方向に枢動すると同時に折畳ばね（４５）の連結ばね部（４７）がそれぞれ内側方向に回動可能に形成したことを特徴とする前記請求項１記載のごみ収納装置。
【請求項３】
前記ごみ袋（１１）が、袋体の表裏両面に設けたスリット部（１５）の上端と開口部（１３）との間に細幅で切断可能な連結部（１５ａ）を設けたことを特徴とする前記請求項１ないし２記載のごみ収納装置。
【発明の詳細な説明】
【技術分野】
【０００１】
本発明は、各種のごみ、特に医療廃棄物を収納するごみ袋とそのごみ袋を吊下げる掛止スタンドに関するものである。
【背景技術】
【０００２】
ごみ袋には、合成樹脂製または紙製などからなる多種多様なものが有り、その形状は用途によってそれぞれ相違する。例えば、筒状に形成した合成樹脂フィルム地の一端を溶着し、他方を開口して形成した４０リットルから５０リットル入りの大容量の家庭用ごみ袋が使用されている。さらには、スーパーなどで買物をした際に買った商品を入れる袋は、開口部両側に把手部を有したいわゆるポリ袋などが使用されている。
【０００３】
一方、前記ごみ袋を利用したごみ袋用スタンドは、ポリ袋の把手部をごみスタンドの上端左右に設けた係止部に引っ掛けて取付けることにより袋の開口部を開口した状態で装着したものが使用されている。
【０００４】
また、大型のごみ袋スタンドの場合、スタンドを設置個所として、オフィスのように紙くずが主のような場合は問題ないが、生ごみや異臭のするごみが多く出る例えば、病院や食堂など、特に、病院においては、使用済みの紙おむつや注射器などを捨てることが多い。その場合、ごみ袋が一杯になるまで開口部を開けたままにしておくと、周囲に臭気が漂い迷惑する。また、食堂では、生ごみに蚊やハエが発生したりして不衛生である。
そのため、大型ごみ袋用のごみ袋スタンドには、該ごみ袋の開口部を開閉可能にしたごみ袋スタンドが知られている（特許文献１）。
【０００５】
【特許文献１】実用新案登録第３０５９０１１号公報
【発明の開示】
【発明が解決しようとする課題】
【０００６】
解決しようとする問題点として、大型のごみ袋を取付けたごみ袋スタンドは、ごみ袋の開口部を開閉させる左右横枠に磁石を取付け、該磁石を互いに吸着させることにより閉口させている。そのため、一度閉口させたごみ袋を再度開口させるためには、それぞれの横杆を手で持ち磁力に抗して左右に広げなければ開口することができなかった点である。また、ごみ袋の開閉には両手を使用しなければあけることができないので開閉操作が大変面倒で不便な点である。さらには、ごみ袋を廃棄する場合、開口部の両端を引っ張って細くしてからその両端を縛って閉口しているため、結び目が弱く、ごみ袋を持ち上げたときや運搬中に結び目が解けてごみが散乱しやすいなどの問題点を有している。
【課題を解決するための手段】
【０００７】
本発明は、並行に位置した一対の主杆部の上方に連結杆部と支持杆部をそれぞれ連設し、互いの支持杆部の上端水平方向に固定横杆部を一体に取付けて形成した固定フレームの下端を基枠の一端両角に取付け、同じく、並行に位置した一対の垂直杆部の上方に連結杆部と支持杆部とをそれぞれ連設し、互いの支持杆部の上端水平方向に可動横杆部を一体に取付けて形成した可動フレームの下端を前記基枠の他端両側に枢動可能に取付け、この可動フレームの垂直杆部の下方に足踏レバーと、該垂直杆部と基枠の一側とを引張ばねで連結して形成してなる掛止スタンドと、合成樹脂材または紙材などで下端を閉口して上方に開口部を有した袋体のそれぞれ対向する面の垂直方向に並行なスリット部を設け、同じく袋体の少なくとも表裏両面に目安線部を設けて形成したごみ袋とからなり、前記掛止スタンドの可動フレームを枢動させて可動横杆部を開いて、ごみ袋を前記可動横杆部と固定横杆部の間に位置させ、該ごみ袋の開口部周縁を外側に折り返してそれぞれ両横杆部に被せて取付けたことを特徴とする。また、前記掛止スタンドが、基枠上に取付けた固定フレームと可動フレームの支持杆部に折畳ばねの一端を巻着し、他端を伸ばしてそれぞれ内側方向に付勢させて形成した連結ばね部の先端を互いに連結リングで連結し、前記可動フレームが固定フレーム方向に枢動すると同時に折畳ばねの連結ばね部がそれぞれ内側方向に枢動可能に形成したことを特徴とする。
【発明の効果】
【０００８】
本発明のごみ収納装置は、ごみ袋の開口部を掛止スタンドの固定フレームの固定横杆部に可動フレームの可動横杆部が引張ばねの弾発力によって当接し、ごみ袋の開口部は常に閉口状態になっているため、内部に収容したごみの臭気が外部に漏れることを防止することができる。開口部の開閉は、手を使用することなく可動フレームに取付けた足踏レバーを足で操作することにより、ごみ袋の開口部を簡単に開口することができるので便利である。また、袋体を閉口する際、固定フレームと可動フレームとの間に取付けた折畳ばねの先端が内側方向に移動して袋体の上方周面を内側方向に押圧しながら枢動するため、開口部付近がたるむことなく、緊張した状態で折畳みながら閉口させることができる。さらには、ごみ収納後の袋体をスタンドから外した後、ごみ袋の上方スリット部を破って形成した結び片で開口部を確実に閉口することができるなど多くの利点がある。
【発明を実施するための最良の形態】
【０００９】
本発明の実施の形態を図１〜７に基づき説明すると、図１は掛止スタンドにごみ袋を装着して閉口した状態の斜視図、図２はごみ袋の正面図、図３は掛止スタンドの斜視図、図４は同側面図、図５は同平面図、図６は折畳ばねが伸びた状態を示す要部拡大断面図、図７は折畳ばねの先端が折れ曲がった状態を示す要部拡大断面図である。ごみ収納装置１０は、ごみ袋１１と、そのごみ袋を取付ける掛止スタンド２０とからなり、ごみ袋１１は、合成樹脂フィルム、好ましくはポリオレフィン系またはポリ塩化ビニル系のフイルム材や紙材により筒状に形成したフイルム地１２の一端を溶着または接着し、他端を一定に長さで切断して開口部１３を設けて全体を袋状に形成し、該ごみ袋の表裏両面上方で相対する位置の垂直方向にスリット部１５を設けてある。このスリット部１５の上端を開口部１３方向に切り裂くことにより結び片１８を形成することができる。
【００１０】
１６は、ごみ袋１１の約７分目のところに設けた目安線で、該目安線を少なくとも、ごみ袋１１の一面に設け、ごみ袋１１内に収容するごみの入れ過ぎを防止している。ごみ袋１１内にごみを入れすぎると袋が重くなり、ごみ袋を持ち上げたときや運搬中に破れて内部のごみがこぼれたり、生ごみがあふれ出るのを防止するためである。特に、病院などから出る医療廃棄物には、危険を伴う場合もあることから、入れすぎによるごみ袋１１の破れが生じることを防止している。
【００１１】
図３に示すごとく、掛止スタンド２０は、金属材または合成樹脂材により形成した基枠２１の一端に、固定フレーム２２を取付け、他端に可動フレーム３０を枢動可能に軸支して形成してある。
【００１２】
前記固定フレーム２２は、並行に樹立させた一対の主杆部２３の下端を前記基枠２１上の一側に固定し、該主杆部の上端に連設した連結杆部２４をそれぞれ同一方向に傾斜させ、該連結杆部の先端をさらに上方向で垂直に折り曲げて短尺な支持杆部２５を形成し、該両支持杆部の間で水平方向に固定横杆部２６を取付けて全体を一体に形成してある。
【００１３】
前記可動フレーム３０は、垂直方向に樹立させた一対の垂直杆部３１の下端を直角に折り曲げて前記基枠２１の両側面に枢動可能に軸止し、該垂直杆部の上方で、前記固定フレーム２２の連結杆部２４と反対方向に同じ角度で傾斜させた連結杆部３２を設け、該連結杆部の先端を垂直方向に短尺な支持杆部３３を連設し、この両支持杆部３３の間で水平方向に可動横杆部３４を取付けて全体を一体に形成してある。
【００１４】
３７は、足踏みレバーで、該足踏みレバーの一端を前記可動フレーム３０の一方側の垂直杆部３１ａの略下方に取付け、該足踏レバーの先端足踏部３８を基枠方向に折り曲げて形成してある。
【００１５】
４０は引張ばねで、該引張ばねの一端を前記足踏みレバー３７を取付けた垂直杆部３１ａに設けた係止部４２に取付け、他端を基枠２１の側面に取付けて可動フレーム３０を固定フレーム２２方向に付勢させてある。
【００１６】
４５は折畳ばねで、該折畳ばねの一端をそれぞれ固定フレーム２２および可動フレーム３０の支持杆部２５、３３に巻着固定し、他端を伸ばしてそれぞれ内側方向に付勢させて案内ばね部４７を形成してある。この折畳ばね４５の固定フレーム側２２の案内ばね部４７の先端と、可動フレーム３０側の案内ばね部４７の先端とを互いに連結リング５０で折り曲げ可能に連結してある。
【００１７】
この折畳ばね４５は、図６に示すごとく、可動フレーム３０が開いたときに該可動フレームに引っ張られて互いの案内ばね部４７の弾発力に抗して直線上に延び、可動フレーム３０を閉じると図７に示すごとく、案内ばね部４７が弾発力でそれぞれ内側方向に枢動して連結リング５０から折り曲がるように形成してある。
【００１８】
以下、本発明に係るごみ収納装置１０の作用について説明すると、掛止スタンド２０へのごみ袋１１の取付けは、図８に示すごとく、可動フレーム３０の足踏レバー３７の足踏部３８を足で押し下げて可動フレーム３０を枢動させて可動横杆部３４を広げる。
【００１９】
ついで、足踏部３８を足で押し下げたままの状態で、固定横杆部２６と可動横杆部３４との間にごみ袋１１を位置させ、該ごみ袋の開口部１３付近を外側に折り返してそれぞれ横杆部２６、３４に被せて取付ける。ごみ袋を前記両横杆部２６、３４に被せた後、足踏みレバー３７から足を離すことにより可動フレーム３０が引張ばね４０の弾発力により枢動して固定フレーム２２の固定横杆部２６に、可動フレーム３０の可動横杆部３４が当接して係止することによりごみ袋１１の開口部１２を閉口することができる。
【００２０】
可動フレーム３０が固定フレーム２２方向に枢動する際、図７に示すごとく、該可動フレームと固定フレームとの間に取付けた折畳ばね４５の案内ばね部４７先端が連結リング５０から折れ曲がり、ごみ袋１１の側面上方を内側方向に押圧しながら枢動することにより、ごみ袋の両側面を内側方向でＶ字状に確実に折り畳たたむことができるので、両横杆部２６、３４に被せた開口部周縁をきれいに閉口させることができる。
【００２１】
したがって、ごみ袋１１の開口部１３の周縁を開口時は両横杆部２６、３４で前後方向を緊張させ、閉口時は両側の案内ばね部４７で緊張させることができるので、開口部周縁が外側に広がったり、たるんだりすることなく確実に閉口させることができる。
【００２２】
ごみ袋１１の開口部１３周縁を前記のごとく常に緊張させてあるので開口部１３を折り返して両横杆部２６、３４に被せただけでも、ごみ袋１１が横杆部２６、３４から外れたり、ずれたりするのを防止でき、且つ、開口部１３を確実に閉口させることができるので、ごみの臭気が外部に漏れる虞がなく病院などの衛生管理が厳しいところでも使用することができる。
【００２３】
ごみ袋１１に収容するごみの量は、詰めようとすれば８分目または９分目まで詰めることはできるが、医療機関などで廃棄されるごみには危険なごみもあるので、詰めすぎによりごみ袋を持ち上げたときや運搬中に袋が破れて中身の薬液が漏れたりするのを防止するため、ごみ袋に目安線１６を設け定量以上のごみの詰めすぎを防止している。
【００２４】
一定量（目安線付近）のごみを収容したごみ袋１１は、可動フレーム３０の足踏みレバー３７を踏んで枢動させて開き、両横杆部２６、３４にそれぞれ折り返して被せた開口部付近を延ばして取り外すことにより、ごみ袋１１を掛止スタンド２０から取り外すことができる。
【００２５】
掛止スタンド２０から取り外したごみ袋１１は、そのまま開口部両端を引っ張って細くして両端を縛っても良いが、前記したごとく運搬中に解ける危険性もあることから、図９、１０に示すごとく、ごみ袋１１の表裏両面に設けたスリット部１５をさらに開口部１３まで引き裂いて結び片１８を形成する。
【００２６】
図１１に示すごとく、開口部１３の他辺をそれぞれ内側に折り畳んだ後、両側の結び片１８を互いに結ぶことにより確実に開口部を閉口することができると共に、運搬時にも結び片１８を持つことにより簡単で確実にごみ袋１１を運搬することができる。
【図面の簡単な説明】
【００２７】
【図１】掛止スタンドにごみ袋を装着して閉口した状態の斜視図である。
【図２】ごみ袋の正面図である。
【図３】掛止スタンドの斜視図である。
【図４】掛止スタンドの側面図である。
【図５】掛止スタンドの平面図である。
【図６】折畳ばねを伸ばした状態の要部拡大断面図である。
【図７】折畳ばねを折り曲げた状態の要部拡大断面図である。
【図８】掛止スタンドにごみ袋を装着して開口した状態の斜視図である。
【図９】ごみ袋の開口部を開けた状態の斜視図である。
【図１０】ごみ袋の開口部を閉口し、結び片で縛る前の状態の斜視図である。
【図１１】ごみ袋の開口部を閉口し、結び片で縛った状態の斜視図である。
【符号の説明】
【００２８】
１０  ごみ収納装置
１１  ごみ袋
１３  開口部
１５  スリット部
１６  目安線
２０  掛止スタンド
２１  基枠
２２  固定フレーム
２３  主杆部
２４  連結杆部
２５  支持杆部
２６  固定横杆部
３０  可動フレーム
３１  垂直杆部
３２  連結杆部
３３  支持杆部
３４  可動横杆部
３７  足踏みレバー
４０  引張ばね
４５  折畳ばね
４７  案内ばね部
５０  連結リング
【図１】
2005053654.tif 000003
【図２】
2005053654.tif 000004
【図３】
2005053654.tif 000005
【図４】
2005053654.tif 000006
【図５】
2005053654.tif 000007
【図６】
2005053654.tif 000008
【図７】
2005053654.tif 000009
【図８】
2005053654.tif 000010
【図９】
2005053654.tif 000011
【図１０】
2005053654.tif 000012
【図１１】
2005053654.tif 000013